(57)【要約】【課題】書籍等の被着体に貼り付けて目印やインデックスとして使用できるのみならず、一端を貼り付けた後に他端を伸長させることにより、参照すべき記事や写真を指し示すことが可能な、伸長性粘着シートが提供すること。【解決手段】少なくとも一部に、使用者が手で引き伸ばし可能な塑性変形性の伸長部を持つ基材層と、該基材層の一方の面の少なくとも一部に配置された、貼り直し可能な粘着剤層とを有し、基材層の伸長部を引き伸ばした状態で、被着体に貼り付けて使用される伸長性粘着シート１０２が提供される。【選択図】図３
2013177498.tif 000002
【特許請求の範囲】
【請求項１】
少なくとも一部に、使用者が手で引き伸ばし可能な塑性変形性の伸長部を持つ基材層と、
該基材層の一方の面の少なくとも一部に配置された、貼り直し可能な粘着剤層とを有し、
前記伸長部を引き伸ばした状態で被着体に貼り付けて使用される、伸長性粘着シート。
【請求項２】
前記伸長部は、一方向に少なくとも１００％伸長する、請求項１記載の伸長性粘着シート。
【請求項３】
前記伸長部は、１００％伸長させる応力が１５ＭＰa以下である、請求項１又は２記載の伸長性粘着シート。
【請求項４】
前記伸長部は、オレフィン又はオレフィン以外のエチレン性不飽和モノマーの単独又は共重合体であって非延伸である材料からなる、請求項１〜３のいずれか一項に記載の伸長性粘着シート。
【請求項５】
前記基材層の少なくとも一端部分に、前記粘着層が形成されていない領域が存在する、請求項１〜４のいずれか一項に記載の伸長性粘着シート。
【請求項６】
前記伸長部は、伸長して被着体に貼り付けた後に、前記伸長部を通して前記被着体が視認可能である、請求項１〜５のいずれか一項に記載の伸長性粘着シート。
【発明の詳細な説明】
【技術分野】
【０００１】
本発明は、インデックス等として使用可能な伸長性粘着シートに関する。
【背景技術】
【０００２】
フィルム状のポリマー基材に対して、端部に未塗布領域を残して貼り直し可能な粘着剤を塗布した粘着シートは、テープフラッグ等と呼ばれ、書籍や書類に貼付することにより、参照したいページや書類の目印として使用されたり、インデックス（見出し）として使用されている（例えば、特許文献１参照）。
【先行技術文献】
【特許文献】
【０００３】
【特許文献１】特開平４−５０４００４号公報
【発明の概要】
【発明が解決しようとする課題】
【０００４】
テープフラッグは、粘着剤未塗布部分の基材を着色し、粘着剤を塗布した部分が透明又は半透明になるように設計されることが多く、着色部が被着体からはみ出るように貼り付けることで、目印やインデックスとして目立たせるとともに、貼付部分の光透過性に基づいて、被着体の文字等を視認できるようにすることができる。
【０００５】
このような適用法は、目印やインデックスとして大変便利であるものの、テープフラッグ自体は、どのページを参照すべきかを認識可能にしているに過ぎず、ページの特定箇所を直接指し示すものではない。
【課題を解決するための手段】
【０００６】
本発明は、１つの態様において、少なくとも一部に、使用者が手で引き伸ばし可能な塑性変形性の伸長部を持つ基材層と、該基材層の一方の面の少なくとも一部に配置された、貼り直し可能な粘着剤層とを有し、基材層の伸長部を引き伸ばした状態で被着体に貼り付けて使用される、伸長性粘着シートである。
【発明の効果】
【０００７】
本発明の伸長性粘着シートによれば、書籍等の被着体に貼り付けて目印やインデックスとして使用できるのみならず、基材の伸長部を引き伸ばした状態で、被着体に貼り付けることができるので、参照すべき記事や写真等の被着体の所定の位置を直接指し示すことが可能になる。
【図面の簡単な説明】
【０００８】
【図１】（ａ）は第１実施形態に係る伸長性粘着剤の斜視図であり、（ｂ）は第２実施形態に係る伸長性粘着剤の斜視図である。
【図２】（ａ）は第３実施形態に係る伸長性粘着シートの斜視図、（ｂ）は第４実施形態に係る伸長性粘着シートの斜視図、（ｃ）は第５実施形態に係る伸長性粘着シートの斜視図である。
【図３】伸長性粘着シートを書籍に適用した状態を示す模式図である。
【図４】伸長性粘着シートを伸長させながら書籍に貼り付ける方法を示す模式図である。
【図５】（ａ）は第６実施形態に係る伸長性粘着シートの上面図、（ｂ）は第７実施形態に係る伸長性粘着シートの上面図、（ｃ）は第８実施形態に係る伸長性粘着シートの上面図である。
【図６】（ａ）は第９実施形態に係る伸長性粘着シートの上面図、（ｂ）は第１０実施形態に係る伸長性粘着シートの上面図、（ｃ）は第１１実施形態に係る伸長性粘着シートの上面図である。
【図７】（ａ）は第１２実施形態に係る伸長性粘着シートの斜視図、（ｂ）は第１３実施形態に係る伸長性粘着シートの斜視図、（ｃ）は第１４実施形態に係る伸長性粘着シートの斜視図である
【発明を実施するための最良の形態】
【０００９】
本発明の実施形態に係る伸長性粘着シートは、少なくとも一部に、使用者が手で引き伸ばし可能な塑性変形性の伸長部を持つ、基材層と、該基材層の一方の面の少なくとも一部に配置された、貼り直し可能な粘着剤層とを有するものであり、基材層の伸長部を引き伸ばした状態で、被着体に貼り付けて使用することを特徴とする。
【００１０】
ここで、「塑性変形性」とは、応力をかけた後、歪（永久歪など）が残るような性質をいい、本明細書では、使用者が基材層の伸長部を所定の場所まで引き伸ばした後に、ほぼその伸長状態が維持できる性質をいう。１００％の塑性変形性は必ずしも必要でなく、例えば、少なくとも、伸長させた状態の粘着シートを被着体に粘着剤層により貼り付けた後に、貼り付け時の基材層の伸長部の伸長状態を略維持できればよい。なお、伸長部は、基材層の全部が伸長部であってもよいが、少なくとも一部が伸長部であればよい。
【００１１】
このような伸長性粘着シート（ストレッチアブル粘着シート）は、書籍等の被着体に貼り付けて目印やインデックスとして使用できるのみならず、一端を貼り付けた後に基材層の伸長部を伸長させてシートの他端部を書面中の記事又は写真の部分に到達させ、その部分で他端を接着することができることから、参照すべき記事や写真が明らかとなり、下線を付したりマーカーでハイライトしなくても、容易に参照箇所を見出すことができる。
【００１２】
基材層の伸長部は、一方向に例えば、少なくとも１００％伸長できることが望ましい。伸長性粘着シートは、一方向に少なくとも１００％伸長できれば（伸長部の長さを少なくとも初期の２倍にした状態）、例えば、雑誌や、Ａ４サイズの書面などの多くの被着体の中央部にある参照すべき記事や写真に到達可能になる。
【００１３】
伸長性粘着シートの接着剤層は、再剥離性のある粘着剤を使用することが好ましい。再剥離性の粘着剤を使用することで、使用時は粘着シートが書面から脱落せず、位置を変えたり廃棄する場合には、書面を傷つけることなく粘着性シートを脱着できる。 
【００１４】
基材層の伸長部としては、１００％伸長させる応力が１５ＭＰa以下であることが好ましく、より好ましくは１２ＭＰa以下であるとよい。このような応力であれば、使用者が容易に手で基材層の伸長部を伸長させることができる。また、基材層の伸長部は、オレフィン又はオレフィン以外のエチレン性不飽和モノマーの単独又は共重合体であって非延伸である材料からなる基材層が好ましい。これらの材料は伸長性と塑性変形性を備え、伸長性粘着シートの基材層として適している。
【００１５】
伸長性粘着シートにおいては、粘着剤層が形成されていない領域が、基材層の少なくとも一端部分に存在することが好ましい。粘着剤層が形成されていない領域を被着体からはみ出るようにして貼付することで、目印やインデックスとしての機能が向上する。なお、粘着剤層が形成されていない領域の基材層には、着色を施したり、模様を形成させたり、視覚的に特徴的な形状（例えば、花や動物の形）にすることもでき、これにより、さらに利便性が向上する。 
【００１６】
伸長性粘着シートは、基材層の伸長部を伸長して被着体に貼り付けた後に、基材層を通して被着体が視認可能であることが好ましい。このような構成にすることで、伸長させて貼付した後も、被着体の文字や写真が粘着シートを通して見ることができるようになる。
【００１７】
以下、図面を参照しながら本発明の実施形態についてさらに詳細に説明する。なお、以下の説明では、同一又は相当部分には同一符号を付し、重複する説明は省略する。
【００１８】
図１（ａ）は、第１実施形態に係る伸長性粘着シート１００の斜視図であり、図１（ｂ）は第２実施形態に係る伸長性粘着シート１０１の斜視図である。図１（ａ）に示す伸長性粘着シート１００は、基材層２と、基材層２の一方の面の全面に形成された貼り直し可能な粘着剤層４とを備える。図１（ｂ）に示す伸長性粘着シート１０１は基材層２と粘着剤層４との間に、両者の接着性を向上させるためのプライマー層６を備えている他は、第１実施形態と同様の構成を有している。なお、図１（ａ）（ｂ）のいずれにおいても、基材層２の全体が、使用者の手で容易に引き伸ばせる塑性変形性の伸長部となっている。
【００１９】
伸長性粘着シート１００，１０１は、後述するように、一例として、一端を被着体に接着した後に、他端を引っ張って伸長させ目的の場所に他端を接着して用いることができるが、この一端と他端の間の部分の基材層２のみを、少なくとも、使用者の手で容易に引き伸ばし可能な、塑性変形性の伸長部とすることもできる。
【００２０】
図２（ａ）は、第３実施形態に係る伸長性粘着シート１０２の斜視図、図２（ｂ）は第４実施形態に係る伸長性粘着シート１０３の斜視図、図２（ｃ）は第５実施形態に係る伸長性粘着シート１０４の斜視図である。伸長性粘着シート１０２は、基材層２及び粘着剤層４の一端が矢印形状をしている他は第１実施形態と同様の構成を有しており、伸長性粘着シート１０３は、基材層２及び粘着剤層４の一端が矢印形状をしており、他端に切欠きが設けられている他は第１実施形態と同様の構成を有している。また、伸長性粘着シート１０４は、一端が第３実施形態とは異なる矢印形状をしている他は第１実施形態と同様の構成を有している。これらの実施形態においても、基材層２の少なくとも一部、ここでは、その全部が、使用者が手で引き伸ばし可能な、塑性変形性の伸長部となっている点も第１実施形態と同様であり、第２実施形態と同様に、基材層２と粘着剤層４の間にプライマー層を設けてもよい。このような伸長性粘着シートの端部のデザインは、無数のデザインが考えられ、これらのデザインは何ら限定されるものではない。伸長性粘着シート全体形状は、代表的には、長尺状の短冊形状であり、例えば、幅３ｍｍ〜２０ｍｍ、好ましくは幅１０ｍｍ〜１５ｍｍ、長さ２０ｍｍ〜１５０ｍｍ、より好ましくは幅３０ｍｍ〜８０ｍｍである。しかし、長尺状形状に限らず種々の形態をとることができ、幅、長さについても特に限定はない。
【００２１】
図３は、伸長性粘着シート１０２の使用態様の一例を示す図である。同図に示すように、例えば、伸長性粘着シート１０２を書籍に適用する場合、伸長性粘着シート１０２は、記事１１と写真１２を含む書籍１０に貼り付けられ、矢印形状が形成されている端部は写真１２を指し示すように配置し、もう一方の矩形の端部は書籍１０からはみ出すように配置させ目印として機能させる。指し示したい目的物の位置まで伸長され貼り付けられた伸長性粘着シート１０２は、基材の伸長部の持つ塑性変形性により、伸長された状態を維持する。
【００２２】
図４（ａ）（ｂ）（ｃ）は、伸長性粘着シート１０２の使用方法の一例を示す図である。同図に示すように、伸長性粘着シート１０２を伸長させながら書籍１０に貼り付ける場合、例えば、図４（ａ）に示すように、先ず伸長性粘着シート１０２を矩形の端部が書籍１０からはみ出るようにして書籍１０の縁に接着する。次に図４（ｂ）に示すように矢印形状の端部を持って目的の箇所である写真１２まで手で伸長性粘着シート１０２の基材層の伸長部を引き伸ばす。そして図４（ｃ）に示すように、必要により伸長性粘着シート１０２の中央部を記事１１を覆わない位置に移動して貼付する。なお、基材層及び粘着剤層を通して書籍１０の記事１１や写真１２を視認可能なものである場合は、必ずしも伸長性粘着シート１０２の中央部の位置変えをする必要はない。
【００２３】
図５は伸長性粘着シートの基材層の一部のみが、塑性変形性の伸長部である場合の一例を示す図である。図５（ａ）は、基材層の一端２ａを除く部分が伸長部２ｂとなっている、第６実施形態に係る伸長性粘着シート１０５の模式上面図である。図５（ｂ）は、基材層の両端部２ａを除く部分が、伸長部２ｂとなっている、第７実施形態に係る伸長性粘着シート１０６の模式上面図である。図５（ｃ）は第７実施形態における基材層の一端を矢印形状とした、第８実施形態に係る伸長性粘着シート１０８を示す摸式上面図である。なお、このように基材層の一部のみを伸長部とするためには、種々の方法があるが、例えば、伸長部と同一素材の層で基材層のベースを形成し、その一端または両端に塑性変形性を有さない素材の層を粘着層や接着層を介して積層するといった構成をとることができる。なお、基材層の端部２ａは、着色や模様等を付すこともできる。
【００２４】
図６は視覚的に特徴的な形状を有した伸長性粘着シートを示すものである。すなわち、図６（ａ）は、基材層の一端に文字が印字されている第９実施形態に係る伸長性粘着シート１０８、図６（ｂ）は、基材層の一端が花の形状になっている第１０実施形態に係る伸長性粘着シート１０９、図６（ｃ）は、基材層の一端が動物の形状になっている第１１実施形態に係る伸長性粘着シート１１０を示す上面図である。図６（ａ）（ｂ）（ｃ）に示される伸長性粘着シートは、視覚的に特徴的な形状の部分が被着体からはみ出るようにして被着体に貼り付けられることが好ましい。なお、上述したいずれの実施形態においても基材の片面に貼り直し可能な粘着剤層が形成されており、基材層の一部または全部には、使用者の手で容易に引き伸ばし可能な、塑性変形性の伸長部を有しており、基材層と粘着剤層の間にプライマー層を設けることができる。
【００２５】
図７は粘着剤層が基材層の全面に形成されていない態様を示すものである。すなわち、図７（ａ）は、基材層２の一端部分に粘着剤層４の未形成部分がある第１２実施形態に係る伸長性粘着シート１１１を示す斜視図である。図７（ｂ）は、第１３実施形態に係る伸長性粘着シート１１２を示す斜視図であるが、この実施形態においては、粘着剤層４が分かれて形成されており、一方が基材層２の一端まで形成されているが、他方は基材層２の他端の一部を残すように形成されている。図７（ｃ）は、第１４実施形態に係る伸長性粘着シート１１３を示す斜視図である。この実施形態においては、粘着剤層４が分かれて形成されており、いずれの粘着剤層４も基材層２の端部において未形成の状態になっている。
【００２６】
以下、上述した実施形態の伸長性粘着シートを構成する基材層、伸長部および粘着層について、より詳細に説明する。
【００２７】
基材層２、特にその伸長部としては、ヤング率が、少なくとも１．７ＭＰａを示すものが好ましい。ヤング率は、通常、５００ＭＰa未満、好ましくは３４５ＭＰａ未満、さらに好ましくは３．４〜２００ＭＰａの範囲である。このように、フィルム剛性を持つことで、伸長性粘着シートが容易にたわまないようになる。
【００２８】
また、基材層２は、引張強さが１５ＭＰａ未満のものがより好ましく、長手方向破断点伸びが５０〜１２００％、好ましくは１５０〜７００％、さらに好ましくは３５０〜７００％であるとよい。このような数値をとることで、雑誌や、Ａ４サイズの面などの多くの被写体の中央部にある参照すべき記事や写真に到達可能になる。基材層２の伸長部は、加工、取り扱いやすさに十分な整合性を備えていればいかなる厚みであってもよく、１０μｍ〜２５０μｍの範囲の厚みが好ましいが、書籍、文書等に付けた際に体裁悪く膨らまないように十分薄いことが好ましい。
【００２９】
基材層２、特にその伸長部としては、オレフィン又はオレフィン以外のエチレン性不飽和モノマーの単独又は共重合体であって、特に非延伸である材料が適用できる。非延伸材料を用いることで、高い伸びと強度が得られやすい。具体的な材料としては、高密度ポリエチレン、低密度ポリエチレン、線状低密度ポリエチレン、線状超低密度ポリエチレンをはじめとするポリエチレン、ポリプロピレン及びポリブチレンなどのポリオレフィン；可塑化したものもしていないものも両方を含むポリ塩化ビニルやポリ酢酸ビニルなどのビニル共重合体；エチレン／メタクリレート共重合体、エチレン／酢酸ビニル共重合体、アクリロニトリル−ブタジエン−スチレン共重合体及びエチレン／プロピレン共重合体などのオレフィン系共重合体；アクリルポリマー及び共重合体；並びに上記を組み合わせたものが挙げられる。プラスチック材料の混合物又は配合物、あるいはプラスチック材料とエラストマー材料との混合物又は配合物、例えば、ポリプロピレン／ポリエチレン、ポリウレタン／ポリオレフィン、ポリウレタン／ポリカーボネート、ポリウレタン／ポリエステルなども使用することができる。
【００３０】
基材層２、特にその伸長部は、単層又は多層フィルム、不織フィルム、多孔質フィルム、発泡状フィルム、及びこれらの組み合わせの形状とすることができ、例えば炭酸カルシウム入りポリオレフィン類のような充填剤入りフィルムから作製することもできる。基材層２はポリエチレンフィルムおよびポリプロピレンフィルムから選択することが好ましく、最も好ましい材料は線状低密度ポリエチレンおよび超低密度ポリエチレンフィルムである。
【００３１】
貼り直し可能な粘着剤層４は、少なくとも１種のアルキル基の炭素数が４〜１４であるアルキル（メタ）アクリレートモノマー、及び少なくとも１種の極性コモノマーの重合体からなり、微小球状の粘着剤で形成可能である。粘着剤層４は、乾燥した状態の粘着剤の塗布重量が、例えば０．２ｇ／ｍ２〜２１ｇ／ｍ２であればより好ましい。微小球状の粘着材であれば、基材層の伸長部が引き伸ばされる場合にも、追従し、引き伸ばし後の伸長部の裏面に比較的均一に分散残留し、接着力を維持できる。
【００３２】
アルキル基の炭素数が４〜１４であるアルキル（メタ）アクリレートモノマーとしては、アルキル（メタ）アクリレートがイソオクチルアクリレート、４−メチル−２−ペンチルアクリレート、２−メチルブチルアクリレート、イソアミルアクリレート、ｓｅｃ−ブチルアクリレート、ｎ−ブチルアクリレート、２−エチルヘキシルアクリレート、イソデシルメタクリレート、イソノニルアクリレート、イソデシルアクリレートが挙げられる。
【００３３】
極性コモノマーとしては、アクリル酸、Ｎ−ビニルピロリドン、Ｎ−ビニルカプロラクタム、ビニルピリジン、メタクリル酸、アクリルアミド、フマル酸、イタコン酸、クロトン酸、アクリロニトリル、メタクリルニトリル、ヒドロキシエチルアクリレート、ヒドロキシエチルメタクリレートが挙げられる。なお、上述したモノマーに加えて多官能性モノマーを併用し、一部架橋構造を形成してもよい。
【００３４】
微小球状の粘着剤の平均粒径は、例えば１μｍ〜１００μｍとすることができる。平均粒径は５μｍ〜８０μｍが好ましく、３０μｍ〜６０μｍがさらに好ましい。微小球状の粘着剤で粘着剤層４を形成することにより、粘着剤が点又は微小領域で被着体に接触することができるため貼り直し可能な性質（再剥離性）が向上する。なお、粘着剤の組成については、米国特許３，６９１，１４０号、米国特許３，８５８，７３１号、米国特許４，１６６，１５２号、米国特許５，５７１，６１７号等を参照できる。なお、基材層と接着剤層との間には、接着性を改善するために、プライマー層を適宜設けてもよい。
【００３５】
伸長性粘着シートには、粘着剤層４を被覆する剥離ライナーを用いてもよい。剥離ライナーとしての使用に適した材料の例としては、クラフト紙、ポリエチレン、ポリプロピレン、ポリエステル又はこれらの材料いずれかの複合物が挙げられ、これらにフルオロケミカル又はシリコーンなどの剥離剤を塗布すればよい。伸長性粘着シートの複数を積層し伸長性粘着シートのブロックを形成してもよく、またそのブロックを収容容器に収納して、一つずつ容易に取り出し可能にしてもよい。
【実施例】
【００３６】
以下、実施例及び比較例に基づき本発明をさらに具体的に説明するが、本発明は以下の実施例に何ら限定されるものではない。
【００３７】
伸長性粘着シートを以下の手法で作製した。基材層および基材層の伸長部としてはアイセロ化学株式会社製のインフレーション成形による非延伸加工の厚さ５７μｍポリプロピレンフィルム「ＸＰ−４１０１」を使用し、この基材層の表面に住友スリーエム株式会社製「スプレーのり５５」の感圧粘着剤を０．３５ｇ／ｍ２塗布し粘着剤層を形成し、伸長性粘着シートを得た。
【００３８】
上記伸長性粘着シート及び基材層（ポリプロピレンフィルム「ＸＰ−４１０１」）について、引張強さ、最大点引張荷重、破断点伸度の測定を、ＪＩＳＫ７１２７に準拠して行った（引張速度：５０ｍｍ／分）。試験片はＪＩＳ Ｋ７１２７に記載の試験片１Ｂの形状（中央部の狭い部分が幅１０ｍｍ、長さ６０ｍｍ、両端部分の幅２０ｍｍ,全長１５０ｍｍのダンベル形状）に切り抜いた。表１に示すように粘着剤層の有無にかかわらず基材層は１５ＭＰａ以下で１００％以上伸長した。また、幅１０ｍｍ、長さ１００ｍｍの伸長性粘着シートを、図４に示した方法に準拠して、０．６５ｇ／ｍ２の上質紙コピー用紙に貼りつけたところ、伸長性粘着シートは１００％以上の伸長を示し、その状態で上質コピー用紙に貼り直し可能に接着した。なお、基材層の復元力により上質コピー用紙はたわむことはなかった。すなわち、伸長および接着後において、基材層の伸長部が「塑性変形性」を備えていることが確認できた。また、貼り付けた伸長性粘着シートの上から、上質コピー用紙に印字された字を読むことができた。
【表１】
2013177498.tif 000003
【符号の説明】
【００３９】
２…基材層、２ａ…基材層の端部、２ｂ…伸長部、４…粘着剤層、６…プライマー層、１０…書籍、１１…記事、１２…写真、１００…第１実施形態に係る伸長性粘着シート、１０１…第２実施形態に係る伸長性粘着シート、１０２…第３実施形態に係る伸長性粘着シート、１０３…第４実施形態に係る伸長性粘着シート、１０４…第５実施形態に係る伸長性粘着シート、１０５…第６実施形態に係る伸長性粘着シート、１０６…第７実施形態に係る伸長性粘着シート、１０７…第８実施形態に係る伸長性粘着シート、１０８…第９実施形態に係る伸長性粘着シート、１０９…第１０実施形態に係る伸長性粘着シート、１１０…第１１実施形態に係る伸長性粘着シート、１１１…第１２実施形態に係る伸長性粘着シート、１１２…第１３実施形態に係る伸長性粘着シート、１１３…第１４実施形態に係る伸長性粘着シート。
【図１】
2013177498.tif 000004
【図２】
2013177498.tif 000005
【図３】
2013177498.tif 000006
【図４】
2013177498.tif 000007
【図５】
2013177498.tif 000008
【図６】
2013177498.tif 000009
【図７】
2013177498.tif 000010